(57)【要約】【課題】成形金型の構造が簡素化されてコストを抑えることができるうえ、利き手による使用感も変わらない吐出容器を提案する。【解決手段】本発明の吐出容器は、下方に向けてヘッド１ｄを押圧して内容物を吐出させる容器体１と、容器体１を保持する内筒２ｂを有し、内筒２ｂの外周面に突起２ｆを有する保持体２と、保持体２の上方において容器体１を取り囲む周壁３ａを有するとともに、周壁３ａに対し下方から上方に向けて延在して突起２ｆに係合する縦溝３ｂ、及び周壁３ａの外周面に設けられる係合部３ｃを有する筒状体３と、保持体２を取り囲むとともに係合部３ｃに係合して筒状体３を回転可能に保持する外筒５ｂを有する外ケース５とを備え、外ケース５は、外筒５ｂの内側において、上面５ｅが上下方向に起伏する環状の下側段部５ｄを有し、保持体２は、下側段部５ｄの上面５ｅに当接する上側段部２ｃを有する。【選択図】図１
2019209972.tif 000002
【特許請求の範囲】
【請求項１】
下方に向けてヘッドを押圧して内容物を吐出させる容器体と、
前記容器体を保持する内筒を有し、該内筒の外周面に突起を有する保持体と、
前記保持体の上方において前記容器体を取り囲む周壁を有するとともに、該周壁に対し下方から上方に向けて延在して前記突起に係合する縦溝と、該周壁の外周面に設けられる係合部とを有する筒状体と、
前記保持体を取り囲むとともに前記係合部に係合して前記筒状体を回転可能に保持する外筒を有する外ケースとを備え、
前記外ケースは、前記外筒の内側において、上面が上下方向に起伏する環状の下側段部を有し、
前記保持体は、前記下側段部の上面に当接する上側段部を有する吐出容器。
【請求項２】
前記保持体と前記筒状体との間に、該筒状体に対して該保持体を下方に付勢する弾性体を備える請求項１に記載の吐出容器。
【請求項３】
前記外ケースは、前記下側段部の上面における最上部において、下方に窪む位置決め凹部を有する請求項１又は２に記載の吐出容器。
【請求項４】
前記筒状体は、前記下側段部の上面における最下部に前記上側段部が当接する位置において前記ヘッドの押し下げを阻止するストッパーを有する請求項１〜３の何れか一項に記載の吐出容器。
【発明の詳細な説明】
【技術分野】
【０００１】
本発明は、ヘッドを押圧して内容物を吐出させる容器体を備える吐出容器に関し、特にヘッドが外部に露出する使用位置とヘッドが隠れる収納位置とに切り替えることができる吐出容器に関する。
【背景技術】
【０００２】
例えば化粧料や整髪料等の内容物を収容するとともにヘッドを押圧して内容物を吐出させる容器体を備える吐出容器においては、操作筒部材を回転させることによってポンプ装置を昇降移動させ、これによって、ヘッドが外部に露出する使用位置とヘッドが隠れる収納位置とに切り替えることができるものが知られている（例えば特許文献１参照）。このような吐出容器によれば、使用位置においてはヘッドを押圧して内容物を吐出することができる一方、収納位置においてはヘッドが隠れているため、不用意にヘッドを押圧してしまう不具合を防止することができる。
【先行技術文献】
【特許文献】
【０００３】
【特許文献１】特開２０１５−２２１６７７号公報
【発明の概要】
【発明が解決しようとする課題】
【０００４】
ところで特許文献１の吐出容器は、操作筒部材に設けた螺旋溝により、回転操作力をポンプ装置の昇降作動力に変換して、使用位置と収納位置との切り換えを可能としている。しかし、このような螺旋溝を成形金型で形成する際、成形金型の構造が複雑になるうえ、コストも嵩むことになる。また、例えば操作筒部材を右に回せばヘッドが使用位置に変位し、左に回せば収納位置に変位するというように、ヘッドの位置とケースの回転方向とは決まった関係にある。このため、ヘッドを使用位置に変位させる際、右手でケースを回す場合は手首を内側から外側に捻るようにする一方、左手でケースを回す場合は手首を外側から内側に捻るようにしなければならないため、利き手によって使用感が異なるという問題もある。
【０００５】
本発明は、このような問題点を解決することを課題とするものであり、成形金型の構造が簡素化されてコストを抑えることができるうえ、利き手による使用感も変わらない吐出容器を提供することを目的とする。
【課題を解決するための手段】
【０００６】
本発明は、下方に向けてヘッドを押圧して内容物を吐出させる容器体と、
前記容器体を保持する内筒を有し、該内筒の外周面に突起を有する保持体と、
前記保持体の上方において前記容器体を取り囲む周壁を有するとともに、該周壁に対し下方から上方に向けて延在して前記突起に係合する縦溝と、該周壁の外周面に設けられる係合部とを有する筒状体と、
前記保持体を取り囲むとともに前記係合部に係合して前記筒状体を回転可能に保持する外筒を有する外ケースとを備え、
前記外ケースは、前記外筒の内側において、上面が上下方向に起伏する環状の下側段部を有し、
前記保持体は、前記下側段部の上面に当接する上側段部を有する吐出容器である。
【０００７】
前記保持体と前記筒状体との間に、該筒状体に対して該保持体を下方に付勢する弾性体を備えることが好ましい。
【０００８】
前記外ケースは、前記下側段部の上面における最上部において、下方に窪む位置決め凹部を有することが好ましい。
【０００９】
前記筒状体は、前記下側段部の上面における最下部に前記上側段部が当接する位置において前記ヘッドの押し下げを阻止するストッパーを有することが好ましい。
【発明の効果】
【００１０】
本発明の吐出容器は、容器体を保持する保持体と、保持体に設けた突起に係合する縦溝を有する筒状体と、筒状体を回転可能に保持する外ケースとを備えている。また外ケースは、上面が上下方向に起伏する環状の下側段部を備え、保持体は、下側段部の上面に当接する上側段部を備えている。このため、筒状体を回転すると、それに合わせて保持体も回転し、下側段部に当接する上側段部によって保持体が昇降移動するため、容器体のヘッドを使用位置或いは収納位置に変位させることができる。また、従来のように螺旋溝は使用せず、単に相互が離反する割型によって各部材を形成することができるため、金型構造が簡素化されてコストを抑えることができる。更に、ヘッドを使用位置或いは収納位置に変位させるにあたり、筒状体は何れの方向にも回転可能であるため、利き手による使用感も変わることがない。
【００１１】
保持体と筒状体との間に、筒状体に対して保持体を下方に付勢する弾性体を設ける場合は、持ち運びなどにおいて容器体が上下動することがないため、ヘッドが不用意に露出することがない。
【００１２】
また外ケースに、下側段部の上面における最上部において、下方に窪む位置決め凹部を設ける場合は、位置決め凹部に上側段部が係合するため、使用位置においてヘッドを位置決めすることができる。また上述した弾性体を併用する場合は、位置決め凹部に上側段部が係合したことが手に感触として伝わって把握できるため、使い勝手がよい。
【００１３】
筒状体に、下側段部の上面における最下部に上側段部が当接する位置においてヘッドの押し下げを阻止するストッパーを設ける場合は、収納位置にあるヘッドに押し下げ力が作用しても、ヘッドは下がらないため、内容物が不用意に吐出される不具合が確実に防止できる。
【図面の簡単な説明】
【００１４】
【図１】本発明に従う吐出容器の一実施形態を、ヘッドを収納位置に変位させて示した側面視での半断面図である。
【図２】図１の保持体を示した図である。
【図３】図１の筒状体を示した図である。
【図４】図１の外ケースを示した図である。
【図５】図１の吐出容器を、ヘッドを使用位置に変位させて示した側面視での半断面図である。
【発明を実施するための形態】
【００１５】
以下、本発明に従う吐出容器の一実施形態について、図面を参照しながら説明する。なお、本明細書等における「上」、「下」の関係は、図１に示すように、吐出容器を正立させた状態での位置である。
【００１６】
図１に示すように本実施形態の吐出容器は、容器体１、保持体２、筒状体３、弾性体４、外ケース５で構成されている。
【００１７】
容器体１は、有底円筒状をなし、内容物を収容する容器本体１ａと、容器本体１ａの上部（口部）に装着される吐出器本体１ｂと、頂部を押圧して吐出器本体１ｂに向けて移動させることで、側面に設けた吐出口１ｃから内容物を吐出させるヘッド１ｄとを備えている。本実施形態の吐出器本体１ｂは、内部にポンプ機構を備えるものであり、ヘッド１ｄを押圧することによってポンプ機構を作動させ、内容物の吐出を可能としている。なお、吐出器本体１ｂはポンプ機構を備えるものに限られず、例えばエアゾールのように、容器本体１ａに収容した加圧媒体の圧力を利用して内容物を吐出させるものでもよい。また本実施形態のヘッド１ｄは、吐出器本体１ｂの外形よりも大径に形成された概略円柱状をなすものである。
【００１８】
保持体２は、容器体１の底部を支持する円板状の内側底壁２ａと、内側底壁２ａの外縁から起立するとともに容器体１の下部を取り囲んでこれを保持する円筒状の内筒２ｂとを備えている。また保持体２は、図２に示すように、内筒２ｂの外周面との間で段差を形成する環状の段部（上側段部）２ｃを備えている。図示したように上側段部２ｃの下面２ｄは、波形をなすように上下方向に起伏するものであり、本実施形態においては、半周部分は下側に突出するように湾曲し、残りの半周部分は上側に突出するように湾曲していて、両者は段差なく滑らかにつながっている。また上側段部２ｃの上面２ｅは、水平方向に延在している。更に保持体２は、内筒２ｂの外周面（本実施形態においては、内筒２ｂの外側に設けられた上側段部２ｃの外周面）から径方向外側に突出する突起２ｆを備えている。本実施形態の突起２ｆは、互いに正対する位置に一対設けられている。
【００１９】
筒状体３は、図１に示すように、保持体２の上方において容器体１を取り囲む円筒状の周壁３ａを備えている。本実施形態の周壁３ａは、図３に示すように、下部に対して上部の外径が大きくなっている。周壁３ａの上部の外径は、後述する外ケース５の外筒５ｂと略同等である。また周壁３ａには、下方から上方に向けて周壁３ａを切り欠くようにして設けられ、周壁３ａの下端に開口する縦溝３ｂを備えている。縦溝３ｂは、互いに正対する位置に一対設けられていて、保持体２の突起２ｆが収まる溝幅で形成されている。なお縦溝３ｂは、周壁３ａを径方向に貫通しても貫通しなくともよい。また周壁３ａにおける小径の下部外周面には、径方向外側に突出する環状突起（係合部）３ｃが設けられている。そして周壁３ａの内周面には、縦溝３ｂの上方に位置し、下方に対して上方が径方向内側に突出する環状の段部３ｄと、周壁３ａの上部に位置し、上方に対して下方が径方向内側に突出する環状の段部（ストッパー）３ｅとが設けられている。
【００２０】
弾性体４は、保持体２と筒状体３との間に介在して、筒状体３に対して保持体２を下方に付勢するものである。本実施形態の弾性体４は、図１に示すように螺旋状に巻かれたスプリングであって、上側段部２ｃの上面２ｅと段部３ｄとの間に設けられている。
【００２１】
外ケース５は、保持体２の下方に位置する円板状の外側底壁５ａと、外側底壁５ａの外縁から起立するとともに、保持体２及び筒状体３の下部を取り囲む外筒５ｂとを備えている。図４に示すように外筒５ｂの上部内周面には、環状をなす爪部５ｃが設けられている。ここで爪部５ｃは、筒状体３の係合部３ｃに係合して筒状体３を回転可能且つ抜け出し不能に保持するものである。また外ケース５は、外筒５ｂの内側において、外筒５ｂの内周面との間で段差を形成する環状の段部（下側段部）５ｄを備えている。図示したように下側段部５ｄは外ケース５の外側底壁５ａと外筒５ｂとに連続して形成され、その上面５ｅは、波形をなすように上下方向に起伏するものである。本実施形態の上面５ｅは、上側段部２ｃの下面２ｄに符合するものであって、半周部分は下側に突出するように湾曲するとともに残りの半周部分は上側に突出するように湾曲していて、両者は段差なく滑らかにつながっている。なお、上面５ｅにおいてこの滑らかにつながる部分を垂直方向に長く延在させ、上述した保持体２における上側段部２ｃの下面２ｄにおける当該部分も垂直方向に長く延在させると、後述するように外ケース５に対して筒状体３を介して保持体２を回転させる際、これら垂直方向に長く延在する部分同士が当接することによってスムーズに回転できないおそれがある。このため、図示したように外ケース５における下側段部５ｄの上面５ｅと保持体２における上側段部２ｃの下面２ｄを略同じ形状で形成する場合は、上述した半周部分同士がつながる部分の垂直方向の長さは短くするか、又は垂直方向に対して傾けておくことが好ましい。また、上面５ｅにおける最上部には、下方に窪む位置決め凹部５ｆが設けられている。
【００２２】
このような部材で構成される吐出容器を組み立てるにあたっては、容器体１の下方から筒状体３を挿入しておき、更に保持体２を容器体１の下部に取り付ける。この際、弾性体４は上側段部２ｃの上面２ｅと段部３ｄとの間に介在させ、また突起２ｆが縦溝３ｂに収まるようにしておく。そして、これらに対して下方から外ケース５を挿入し、爪部５ｃを係合部３ｃに係合させればよい。なお、上述した組み立て方法は一例である。
【００２３】
このようにして組み立てられた吐出容器は、外ケース５に対して筒状体３を回転させることにより、図１に示す、ヘッド１ｄが筒状体３に隠れた収納位置と、図５に示す、ヘッド１ｄが筒状体３から露出する使用位置とに切り替えることが可能である。ここで、図１の収納位置における保持体２の上側段部２ｃと外ケース５の下側段部５ｄとの位置関係は、上側段部２ｃの下面２ｄにおける最下部２ｄ１（図２参照）と、下側段部５ｄの上面５ｅにおける最下部５ｅ１（図４参照）が一致する位置にある。すなわち保持体２は、外ケース５に対して最も下降した位置に変位している。また、図１に示すようにヘッド１ｄの下面は、収納位置においてストッパー３ｅに当接していて、ヘッド１ｄの頂部に押し下げ力が作用してもヘッド１ｄが下がることはない。すなわち、収納位置において内容物が不用意に吐出される不具合が確実に防止できる。また、保持体２は弾性体４により下側へ付勢されていて負荷が掛かっているため、筒状体３を回転させる力が意図せずに付与された場合でも、ヘッド１ｄが簡単に露出してしまうことはない。特に、上側段部２ｃの下面２ｄと下側段部５ｄの上面５ｅとを全面的に当接又は近接させる場合は、前述の効果がより顕著となる。
【００２４】
また、外ケース５に対して筒状体３を回転させると、図２に示した保持体２における上側段部２ｃの上面２ｅが、弾性体４によって下向きに付勢されつつ、図４に示した下側段部５ｄの上面５ｅに当接しながら移動する。これにより、保持体２が外ケース５に対して上昇し、ヘッド１ｄが筒状体３から露出し始める。なお筒状体３は、右回りにも左回りにも回転させることが可能であり、また何れの方向に回転させても保持体２を同じように上昇させることができる。そして外ケース５を半回転させると、図５に示す使用位置に切り替わる。ここで、図５の使用位置における保持体２の上側段部２ｃと外ケース５の下側段部５ｄとの位置関係は、上側段部２ｃの下面２ｄにおける最下部２ｄ１（図２参照）が、下側段部５ｄの上面５ｅにおける位置決め凹部５ｆ（図４参照）に係合する位置にある。このため、ヘッド１ｄが露出した状態でその位置を維持することができる。また保持体２は弾性体４によって下向きに付勢されているため、筒状体３を回転していくと、最下部２ｄ１が位置決め凹部５ｆに係合した際にクリック感が生じる。すなわち、最下部２ｄ１が位置決め凹部５ｆに係合したことが手に感触として伝わって把握できるため、使い勝手がよい。このようにしてヘッド１ｄを使用位置に変位させた後は、ヘッド１ｄの頂部を押圧することによって、吐出口１ｃから内容物を吐出させることができる。
【００２５】
以上、本発明について具体的な実施形態を示しながら説明したが、本発明に従う吐出容器は、上述した実施形態に限られるものではなく、特許請求の範囲に従う範疇で種々の変更を加えたものも含まれる。例えば、筒状体３に設けた係合部３ｃは環状をなす突起であり、また外ケース５に設けた爪部５ｃも環状であったが、何れか一方を間欠状にしてもよい。また、係合部３ｃを凹状の環状溝とし、外ケース５にはこの環状溝に係合する凸部を設けてもよい。また、上側段部２ｃの下面２ｄと下側段部５ｄの上面５ｅは、下側に突出するように湾曲する部分と上側に突出するように湾曲する部分が半周毎に設けられていたが、これら湾曲する部分が短い周期で複数設けられるように構成してもよい。更に上側段部２ｃの下面２ｄは、環状をなすとともに上下方向に起伏するものであったが、下側に突出する湾曲部分のみで構成してもよい。また、保持体２に設けた上側段部２ｃの上面２ｅを容器体１に設けることにより、保持体２を省略してもよい。また上述した実施形態のヘッド１ｄは、収納位置において筒状体３に完全に隠れていたが、筒状体３から一部が露出していてもよい。なおこの場合には、ストッパー３ｅによってヘッド１ｄが押し下げられないようにしておくことが好ましい。またストッパー３ｅがヘッド１ｄに当接する部位は、ヘッド１ｄの下面に限られず、吐出口１ｃであってもよい。
【符号の説明】
【００２６】
１：容器体
１ａ：容器本体
１ｂ：吐出器本体
１ｃ：吐出口
１ｄ：ヘッド
２：保持体
２ａ：内側底壁
２ｂ：内筒
２ｃ：上側段部
２ｄ：上側段部の下面
２ｄ１：最下部
２ｅ：上側段部の上面
２ｆ：突起
３：筒状体
３ａ：周壁
３ｂ：縦溝
３ｃ：係合部
３ｄ：段部
３ｅ：ストッパー
４：弾性体
５：外ケース
５ａ：外側底壁
５ｂ：外筒
５ｃ：爪部
５ｄ：下側段部
５ｅ：下側段部の上面
５ｅ１：最下部
５ｆ：位置決め凹部
【図１】
2019209972.tif 000003
【図２】
2019209972.tif 000004
【図３】
2019209972.tif 000005
【図４】
2019209972.tif 000006
【図５】
2019209972.tif 000007